(57)【要約】【課題】  メニュー用紙などの中紙の出し入れをし易くする。【解決手段】  折り込み部１１を中心として内外両面側に折り込み可能であるベースカバー１の内面に接続しかつ上記内面を覆う透明のカバーシート２と、このカバーシートの内側上隅部をベースカバーに着脱するための止め具３とを備え、カバーシート２はベースカバー１の内面と共に中紙７を出し入れ可能の袋状の収納部６を形成し、収納部６は、上側縁と上記折り込み部に面している内側縁とがそれぞれ上開口縁６１ａ及び内開口縁６１ｂとして開放され、下側縁と外側縁とが封止されており、止め具３は上開口縁６１ａと内開口縁６１ｂと交わる端部を固定可能である。【選択図】        図１
0003128799.tif 000002
【実用新案登録請求の範囲】
【請求項１】
折り込み部を中心として内外両面側に折り込み可能であるベースカバーと、このベースカバーの内面に接続しかつ上記内面を覆う透明のカバーシートと、このカバーシートの内側上隅部を上記ベースカバーに着脱するための止め具とを備えており、
上記カバーシートは、上記ベースカバーの内面と共に中紙を出し入れ可能の袋状の収納部を形成しており、
上記収納部は、上側縁と上記折り込み部に面している内側縁とがそれぞれ上開口縁及び内開口縁として開放され、下側縁と外側縁とが封止されており、
上記止め具は互いに係合及び離脱可能である雄型止め部材と雌型止め部材とからなり、上記雄型止め部材及び雌型止め部材のいずれか一方が上記ベースカバーに他方が上記カバーシートに取り付けられている
ことを特徴とするメニューファイル。
【請求項２】
止め具は、スナップホックであることを特徴とする請求項１記載のメニューファイル。
【請求項３】
カバーシートは、ベースカバーの内面に折り込み部を挟んでその両側に配置されていることを特徴とする請求項１または請求項２記載のメニューファイル。
【請求項４】
折り込み部の内面上にバインダ金具を固定してあることを特徴とする請求項１、請求項２または請求項３記載のメニューファイル。
【考案の詳細な説明】
【技術分野】
【０００１】
この考案は、メニューを表示してあるメニュー用紙などの中紙を差し入れることができるメニューファイルに関するものである。
【背景技術】
【０００２】
本出願人はメニューファイルとして、意匠登録第８５３０８８号公報に記載の「メニュー」や実用新案登録第３１１７２４７号公報に記載の「メニューブック」（以下「従来例１」及び「従来例２」という。）を提案した。
従来例１は、透明の二つ折りのメニューファイルの内面の両側に内側縁が開口縁となっているメニュー用紙用の収納部を形成し、両収納部の開口縁からメニューが印刷されたメニュー用紙が差し入れられるものである。従来例１は、少なくともメニューファイルの内面側の左右両側がメニュー表示部を構成している。
従来例２は、折り込み部を中心として折り込み可能である薄形のカバー部と、上記折り込み部の内面上に固定した綴じ具と、この綴じ具に取り外し可能であるメニューファイルとを備えているバインダ形式のファイルであり、このメニューファイルは透明の袋状のファイル部を有しており、このファイル部内にはメニュー用紙が開口部を通じて収納可能である。
【特許文献１】意匠登録第８５３０８８号公報
【特許文献２】実用新案登録第３１１７２４７号公報
【考案の開示】
【考案が解決しようとする課題】
【０００３】
従来例１及び従来例２は、構成が簡単でその扱いが容易である利点があるが、需要者から、メニュー用紙を交換する際に、メニュー用紙用の収納部（従来例１）やファイル部（従来例２）からメニュー用紙の出し入れをし易くする要望があり、その改善が期待されていた。
この考案の目的は、メニュー用紙などの中紙の出し入れをし易くするメニューファイルを提供することにある。
【課題を解決するための手段】
【０００４】
この考案の第１の特徴は、折り込み部を中心として内外両面側に折り込み可能であるベースカバーと、このベースカバーの内面に接続しかつ上記内面を覆う透明のカバーシートと、このカバーシートの内側上隅部を上記ベースカバーに着脱するための止め具とを備えていることにある。上記カバーシートは、上記ベースカバーの内面と共に中紙を出し入れ可能の袋状の収納部を形成しており、上記収納部は上側縁と上記折り込み部に面している内側縁とがそれぞれ上開口縁及び内開口縁として開放され、下側縁と外側縁とが封止されており、上記止め具は互いに係合及び離脱可能である雄型止め部材と雌型止め部材とからなり、上記雄型止め部材及び雌型止め部材のいずれか一方が上記ベースカバーに他方が上記カバーシートに取り付けられている。
この考案の第２の特徴は、第１の特徴を備えていると共に、止め具がスナップホックであることにある。
この考案の第３の特徴は、第１または第２の特徴を備えていると共に、カバーシートがベースカバーの内面に折り込み部を挟んでその両側に配置されていることにある。
この考案の第４の特徴は、第１、第２または第３の特徴を備えていると共に、折り込み部の内面上にバインダ金具を固定してあることにある。
【考案の効果】
【０００５】
この考案によれば、収納部の上開口縁及び内開口縁が交わる端部が止め具によって開閉可能であるから、カバーシートによって収納部の各開口縁を大きく開くことができるので、中紙の出し入れがし易く、中紙を安定して保持することができる。
【考案を実施するための最良の形態】
【０００６】
図１及び図２に示すメニューファイルは、ベースカバー１と、このベースカバーの内面に接続しかつ上記内面を覆うカバーシート２と、このカバーシートの隅部を上記ベースカバーに着脱するための止め具３とを備えている。
【０００７】
図１〜図３に示すベースカバー１は、折り込み部１１を中心として内外両面側に折り込み可能である。ベースカバー１は、不使用時には、図４に示すように折り込み部１１を中心として内側に折り込み（折り畳み）状態にすることができる。
ベースカバー１は、図３及び図４に示すように折り込み部１１を中心としてその両側にその本体を形成している四角形の透明板１２を配置してある。折り込み部１１はベースカバー１の背部を構成している。透明板１２は、各内側縁が折り込み部１１に縫い糸１４ｂによって接続され、そして上下の両側縁及び外側縁がそれぞれ縁取り１３ａ，１３ｂ，１３ｃによって被覆されかつ縫い糸１４ａ，１４ｃによってそれぞれ接続されている。
【０００８】
図１〜図３に示すベースカバー１の折り込み部１１の内面上にはバインダ金具４をその長手方向（図上下方向）に沿って配置されており、その本体が複数の固定具５によって折り込み部に固定されている。バインダ金具４は、その本体に間隔を置いて起立してある複数の開閉可能なリング状の綴じ環４１を設けてある。綴じ環４１は中央上部から外側へ開放することができる。綴じ環４１の開放は、バインダ金具４の両端に位置している操作レバー４２によって行われる。綴じ環４１の閉鎖は、開いている綴じ環を人手によってその両側から押圧する。操作レバー４２はバインダ金具４の本体内に設けられている開閉機構（図示せず。）を通じて綴じ環４１に連動している。綴じ環４１及び操作レバー４２を含む開閉機構は公知のものが使用されている。
綴じ環４１には図示していないルーズリーフ形式の袋状のファイルシートが綴じられ、各ファイルシートにはメニュー用紙などの中紙を出し入れすることができる。
【０００９】
カバーシート２は、図１及び図２に示すように、折り込み部１１を挟んで両側のベースカバー１の内面を覆っており、この内面と共に中紙７を出し入れ可能の袋状の収納部６を形成している。カバーシート２は、図５に示すように、四角形の透明板２１と縁取り２２ａ，２２ｂとからなる。透明板２１の上辺は縁取り２２ａによって被覆され、上辺と縁取りとが縫い糸２３ａによって接続されている。透明板２１の内辺は縁取り２２ｂによって被覆され、内辺と縁取りとが縫い糸２３ｂによって接続されている。カバーシート２は、図２及び図５に示すように、直交している下辺２ｂと外辺２ｄとがベースカバー１の内面に縁取り１３ｂ，１３ｃと縫い糸１４ａ，１４ｃ（図３）によって接続され、直交している上辺２ａと内辺２ｃとがベースカバー１の内面に接続されずに、開放されている。このため、収納部６は、図１及び図２に示すように、上側縁と折り込み部１１に面している内側縁とが上開口縁６１ａ及び内開口縁６１ｂとして開放され、下側縁と外側縁とが封止されている。
収納部６は、その内部に中紙７を収納することができる。中紙７は上開口縁６１ａ及び内開口縁６１ｂを通じて出し入れすることができる。
中紙７にはメニュー用紙、広告用紙、案内用紙、サービス説明用紙などが含まれる。中紙７がメニュー用紙であれば、その表面に各種のメニューが印刷などによって表示されている。
【００１０】
止め具３は、図１及び図２に示すように、カバーシート２の内側の上側隅部に配置されている。止め具３は、図６に示すように、雄型止め部材３１と雌型止め部材３２とからなる。一方の雄型止め部材３１はカバーシート２の内側の上側隅部に固着され、他方の雌型止め部材３２は折り込み部１１の上縁側に固着され、互いに係合及び離脱が可能である。雄型止め部材３１はその突部が雌型止め部材３２の凹部に挿入され、突部の外周に形成されている係止溝３１１に凹部内のばね３２１が係合され、ばね力を通じて互いに結合が強化されている。
図１及び図２に示すように、カバーシート２は止め具３によって上側隅部がベースカバー１の内面に固定されている。このため、収納部６の上開口縁６１ａ及び内開口縁６１ｂが交わる端部が止め具３によって開閉可能であるから、カバーシート２によって収納部の各開口縁を大きく開くことができ、その結果、収納部内の中紙７を容易に収納部外に取り出すことができる。また収納部６の上開口縁６１ａ及び内開口縁６１ｂの開放は止め具３によって制約されるために、収納部内の中紙７は容易に収納部外に抜け出すことはなく、安定的な保持ができる。
【００１１】
次に、メニューファイルの使用方法について説明する。
ベースカバー１を外側に開いた状態にしてから、メニュー用紙７を各収納部６内へ収納する。収納時には、カバーシート２の内側の上側隅部を持って強く手前に引っ張り、このカバーシートを手前側に折り曲げる。すると、止め具３の一方の雄型止め部材３１がカバーシート２と同じ方向に引っ張られるために、雌型止め部材３２との係合が解かれて図１及び図２に示すように上開口縁６１ａ及び内開口縁６１ｂを通じて収納部６の前面側が大きく開放されるから、メニュー用紙７を収納部内に差し入れ、所定位置に納める。そして、カバーシート２をベースカバー１の内面側に接近させ、再び一方の雄型止め部材３１を他方の雌型止め部材３２に係止させる。
また、操作レバー４２を操作することによって綴じ環４１を開き、開いている綴じ環にメニュー用紙入りのファイルシートを取り付ける。
【００１２】
図１に示すメニューファイルによれば、収納部６の上側縁が上開口縁６１ａ、内側縁が内開口縁６１ｂとなっており、止め具３の開放操作によってそれぞれの開口縁が開放されるので、収納部６の上開口縁６１ａ及び内開口縁６１ｂが大きく開かれ、中紙７の出し入れが極めて簡単に行え、しかも上開口縁及び内開口縁が閉鎖されている状態では収納されている中紙が不用意に抜け出ることがなく、安定した保持が可能となる。
【００１３】
ベースカバー１は、その本体を図３に示す例によれば、透明板１２で構成しているが、必ずしも透明板である必要はない。
止め具３によって開閉されるカバーシート２による収納部６は折り込み部１１の両側に設けているが、いずれか一方のみでも良く、他方は内側又は上側のみが開口されているものであっても良い。
止め具３の構成は雄型止め部材３１と雌型止め部材３２とからなり、互いに係合及び離脱可能であれば良く、必ずしもスナップホックである必要はない。止め具３としてスナップホックを用いれば安価な費用で簡単かつ確実にカバーシート２をベースカバー１の内面に止めることができる。雄型止め部材３１をベースカバー１側に、雌型止め部材３２をカバーシート２側に取り付けても良い。
図１に示すメニューファイルはバインダ金具４を取り付けているバインダファイルであったが、必ずしもバインダ金具を取り付けなくても良い。バインダ金具４を設けておけば、多数のメニュー用紙などの中紙を差し入れておく利点がある。
【図面の簡単な説明】
【００１４】
【図１】この考案に係るメニューファイルの主要部を示す拡大正面図であって、縫い糸を省略している図である。
【図２】この考案に係るメニューファイルを示す正面図であって、縫い糸を省略している図である。
【図３】この考案に係るメニューファイルを示す正面図であって、カバーシートを省略している図である。
【図４】この考案に係るメニューファイルを折り込んだ状態を示す拡大斜視図である。
【図５】この考案に係るメニューファイルにおけるカバーシートを示す正面図である。
【図６】この考案に係るメニューファイルにおける止め具の取り付け状態を示す拡大側面図である。
【符号の説明】
【００１５】
１                    ベースカバー
１１                  折り込み部
２                    カバーシート
２１                  透明板
３                    止め具
３１                  雄型止め部材
３２                  雌型止め部材
４                    バインダ金具
６                    収納部
６１ａ                上開口縁
６１ｂ                内開口縁
７                    メニュー用紙（中紙）
【図１】
0003128799.tif 000003
【図２】
0003128799.tif 000004
【図３】
0003128799.tif 000005
【図４】
0003128799.tif 000006
【図５】
0003128799.tif 000007
【図６】
0003128799.tif 000008